(57)【特許請求の範囲】
【請求項１】
上下一対のスプロケット間に張架した無端チェーンと、無端チェーンを駆動するモータと、無端チェーンの延在方向に互いに間隔を隔てて無端チェーンに取り付けられた複数の棚板と、隣接する棚板の間で無端チェーンに取り付けられた釣支部材とを備え、商品を格納する際に商品を棚板上に載置すると共に商品の上部を釣支部材に係合させ、無端チェーンが作動して棚板が無端チェーンの下端部に到達して垂下すると商品は棚板の支持を失い、次いで釣支部材が無端チェーンの下端部に到達して垂下すると商品は釣支部材の支持を失うことを特徴とする自動販売機のチェーンエレベータ式商品ラック。
【請求項２】
釣支部材は着脱可能に無端チェーンに取り付けらていることを特徴とする請求項１に記載の自動販売機のチェーンエレベータ式商品ラック。
【請求項３】
釣支部材は棒状部材であることを特徴とする請求項１又は２に記載の自動販売機のチェーンエレベータ式商品ラック。
【請求項４】
釣支部材は二股状部材であることを特徴とする請求項１又は２に記載の自動販売機のチェーンエレベータ式商品ラック。
【発明の詳細な説明】
【０００１】
【発明の属する技術分野】
本発明は自動販売機のチェーンエレベータ式商品ラックに関するものである。
【０００２】
【従来の技術】
上下一対のスプロケット間に張架した無端チェーンと、無端チェーンを駆動するモータと、無端チェーンの延在方向に互いに間隔を隔てて無端チェーンに取り付けられた複数の棚板とを備える自動販売機のチェーンエレベータ式商品ラックが特開平９−５０５７４号等に開示されており、広く使用されている。
チェーンエレベータ式商品ラックを備える自動販売機においては、棚板上に載置された商品が、無端チェーンの作動により下方へ移動し、無端チェーンの下端部において棚板が垂下するのに伴い棚板の支持を失って落下する。商品はチェーンエレベータ式商品ラックの下方に配設されたコンベア上に落下し、コンベアにより商品取出口ヘ搬送される。
【０００３】
【発明が解決しようとする課題】
落下した商品がチェーンエレベータ式商品ラックの下端とコンベアとの間に挟まって商品の搬出が不可能となるのを防止するために、チェーンエレベータ式商品ラックの下端とコンベアとの間には、商品の高さを超える上下間隔が設けられている。５００ｍｌ〜１０００ｍｌの長尺の紙パック入り飲料商品をチェーンエレベータ式商品ラックに格納して販売する場合、チェーンエレベータ式商品ラックの下端とコンベアとの間の上下間隔が大きく、商品の落下距離が大きいので、落下時の衝撃で紙パックが変形するという問題を生ずる。また、プリン、ゼリー、ヨーグルト等の容器入りデザート商品をチェーンエレベータ式商品ラックに格納して販売する場合、落下時の衝撃で容器内のデザート商品が崩れるという問題を生ずる。
本発明は上記問題に鑑みてなされたものであり、商品搬出時の、長尺の紙パック入り飲料商品の変形を抑制し、容器内のデザート商品の崩れを抑制することができるチェーンエレベータ式商品ラックを提供することを目的とする。
【０００４】
【課題を解決するための手段】
上記課題を解決するために、本発明においては、上下一対のスプロケット間に張架した無端チェーンと、無端チェーンを駆動するモータと、無端チェーンの延在方向に互いに間隔を隔てて無端チェーンに取り付けられた複数の棚板と、隣接する棚板の間で無端チェーンに取り付けられた釣支部材とを備え、商品を格納する際に商品を棚板上に載置すると共に商品の上部を釣支部材に係合させ、無端チェーンが作動して棚板が無端チェーンの下端部に到達して垂下すると商品は棚板の支持を失い、次いで釣支部材が無端チェーンの下端部に到達して垂下すると商品は釣支部材の支持を失うことを特徴とする自動販売機のチェーンエレベータ式商品ラックを提供する。
本発明に係る自動販売機のチェーンエレベータ式商品ラックにおいては、商品を格納する際に、商品を棚板上に載置すると共に商品の上部を釣支部材と係合させる。棚板上に載置された商品は、無端チェーンの作動により下方へ移動し、無端チェーンの下端部において棚板が垂下するのに伴い棚板の支持を失うが、上部が釣支部材に係合しているので、釣支部材によって釣支され、棚板の支持を失っても落下しない。無端チェーンの作動により商品が更に下方ヘ移動し、無端チェーンの下端部において釣支部材が垂下すると、商品は釣支部材の支持を失い落下する。商品が釣支部材によって釣支されることにより、商品の落下距離が減少し、長尺の紙パック入り飲料商品の変形が抑制され、容器内のデザート商品の崩れが抑制される。
【０００５】
本発明の好ましい態様においては、釣支部材は着脱可能に無端チェーンに取り付けらている。
釣支部材が着脱可能に無端チェーンに取り付けらていれば、釣支部材の取り付け位置を変更して、高さの異なる種々の商品に対処することができる。
【０００６】
本発明の好ましい態様においては、釣支部材は棒状部材である。
紙パック入り飲料商品の釣支部材としては棒状部材が適当である。
【０００７】
本発明の好ましい態様においては、釣支部材は二股状部材である。
容器入りデザート商品の釣支部材としては二股状部材が適当である。
【０００８】
【発明の実施の形態】
本発明の実施例に係るカップ回収装置を説明する。
図１に示すように、上下一対のスプロケット間に無端チェーン１が張架されている。無端チェーン１は図示しないモータによって駆動される。
複数の棚板２が、無端チェーン１の延在方向に互いに間隔を隔てて、無端チェーン１に取り付けられている。図２に示すように、棚板２は鉤状腕２ａを無端チェーン１のピン１ａに係止させることにより、着脱可能に無端チェーン１に取り付けられている。棚板２は、側面２ｂがガイドレール３に当接することにより略水平に保持されている。
隣接する棚板２の間で、略棒状の釣支部材４が無端チェーン１に取り付けられている。図３に示すように、釣支部材４は鉤状腕４ａを無端チェーン１のピン１ａに係止させることにより、着脱可能に無端チェーン１に取り付けられている。
【０００９】
本実施例に係る自動販売機のチェーンエレベータ式商品ラックの作動を説明する。
紙パック入り飲料商品１００をチェーンエレベータ式商品ラックに格納する際に、図１、４（ａ）、４（ｂ）に示すように、商品１００を棚板２上に載置すると共に商品１００の上部、より具体的には紙パックの上部に形成された凹部１００ａを釣支部材４と係合させる。複数の棚板２上にそれぞれ商品１００を載置する。
無端チェーン１が作動し、棚板２と釣支部材４とが下方ヘ移動し、棚板２上に載置された商品１００も下方へ移動する。棚板２が無端チェーン１の下端部に到達すると、棚板２はガイドレール３から離れる。棚板２は、下側のスプロケットの周囲を回りスプロケットの最下端を通過する際に、垂下する。棚板２が垂下すると商品１００は棚板２の支持を失うが、紙パックの上部に形成され凹部１００ａが釣支部材４に係合しているので、図４（ｃ）に示すように、商品１００は釣支部材４によって釣支され、棚板２の支持を失っても落下しない。
無端チェーン１の作動により釣支部材４が更に下方ヘ移動する。釣支部材４が下側のスプロケットの周囲を回りスプロケットの最下端を通過する際に、垂下する。釣支部材４が垂下すると商品１００は釣支部材４の支持を失い落下する。
商品１００はチェーンエレベータ式商品ラックの下方に配設された図示しないコンベア上に落下し、コンベアにより商品取出口ヘ搬送される。
【００１０】
上記説明から分かるように、本実施例に係るチェーンエレベータ式商品ラックにおいては、商品１００は、釣支部材４によって釣支されるので、棚板２の支持を失っても落下せず、釣支部材４の支持を失った時に初めて落下する。この結果、商品１００の落下距離が減少し、長尺の紙パック入り飲料商品の変形が抑制される。
釣支部材４は着脱可能に無端チェーン１に取り付けられているので、釣支部材４の取り付け位置を変更して、高さの異なる種々の紙パック入り飲料商品に対処することができる。
【００１１】
プリン、ゼリー、ヨーグルト等の容器入りデザート商品を格納する場合には、図５に示すように、二股状の釣支部材５を使用する。二股状の釣支部材５は、棒状の釣支部材４と同様に、鉤状腕５ａを無端チェーン１のピン１ａに係止させることにより、着脱可能に無端チェーン１に取り付けられる。
容器入りデザート商品の容器は一般に容器本体の上部開口を閉鎖する蓋を備えているので、容器入りデザート商品をチェーンエレベータ式商品ラックに格納する際に、図６に示すように、容器入りデザート商品２００を棚板２上に載置すると共に釣支部材５の二股部に挿入し、容器の蓋２００ａの外縁下面を釣支部材５の二股部に係合させる。容器入りデザート商品２００は、釣支部材５によって釣支されるので、棚板２の支持を失っても落下しない。容器入りデザート商品２００は、釣支部材５が下側のスプロケットの最下端を通過して垂下した時に、釣支部材５の支持を失い、初めて落下する。この結果、容器入りデザート商品２００の落下距離が減少し、容器内のデザート商品の崩れが抑制される。
【００１２】
【発明の効果】
以上説明したごとく、本発明に係る自動販売機のチェーンエレベータ式商品ラックにおいては、商品を格納する際に、商品を棚板上に載置すると共に商品の上部を釣支部材と係合させる。棚板上に載置された商品は、無端チェーンの作動により下方へ移動し、無端チェーンの下端部において棚板が垂下するのに伴い棚板の支持を失うが、上部が釣支部材に係合しているので、釣支部材によって釣支され、棚板の支持を失っても落下しない。無端チェーンの作動により商品が更に下方ヘ移動し、無端チェーンの下端部において釣支部材が垂下すると、商品は釣支部材の支持を失い落下する。商品が釣支部材によって釣支されることにより、商品の落下距離が減少し、長尺の紙パック入り飲料商品の変形が抑制され、デザート商品の崩れが抑制される。
釣支部材が着脱可能に無端チェーンに取り付けらていれば、釣支部材の取り付け位置を変更して、高さの異なる種々の商品に対処することができる。
紙パック入り飲料商品の釣支部材としては棒状部材が適当である。
デザート商品の釣支部材としては二股状部材が適当である。
【図面の簡単な説明】
【図１】本発明の第１実施例に係る自動販売機のチェーンエレベータ式商品ラックの斜視図である。
【図２】本発明の第１実施例に係る自動販売機のチェーンエレベータ式商品ラックが備える棚板とチェーンの部分分解斜視図である。
【図３】本発明の第１実施例に係る自動販売機のチェーンエレベータ式商品ラックが備える釣支部材の斜視図である。
【図４】本発明の第１実施例に係る自動販売機のチェーンエレベータ式商品ラックの作動を示す側面図である。
【図５】本発明の第２実施例に係る自動販売機のチェーンエレベータ式商品ラックが備える釣支部材の斜視図である。
【図６】本発明の第２実施例に係る自動販売機のチェーンエレベータ式商品ラックの作動を示す側面図である。
【符号の説明】
１  無端チェーン
１ａ  ピン
２  棚板
２ａ  鉤状腕
３  ガイドレール
４、５  釣支部材
４ａ、５ａ  鉤状腕
１００  紙パック入り飲料商品
１００ａ  凹部
２００  容器入りデザート商品
２００ａ  蓋
【図１】
0004226133.tif 000002
【図２】
0004226133.tif 000003
【図３】
0004226133.tif 000004
【図４】
0004226133.tif 000005
【図５】
0004226133.tif 000006
【図６】
0004226133.tif 000007